(57)【要約】【課題】本発明は、電柱の上に設置された柱上変圧器の微少な漏油でも地上から確実に発見でき、しかも、漏油発生から地上滴下に至るまでの期間を充分に確保することにより、必要な措置を施して漏油による絶縁油の地上への滴下を確実に防止できる柱上変圧器の漏油滴下防止装置を提供する。【解決手段】本発明に係る柱上変圧器の漏油滴下防止装置１０は、柱上変圧器内の絶縁油の漏油を検出して地上への滴下を防止するものであって、前記柱上変圧器の下部に設置され、前記柱上変圧器の底部を受ける上枠１１と、前記上枠１１の下部に配置された漏油防止部材１２と、前記漏油防止部材１２の下部に配置された下枠１３とから成る。また、漏油防止部材１２は、上枠１１と下枠１３により挟持された状態で保持されている。【選択図】図９
2006216715.tif 000002
【特許請求の範囲】
【請求項１】
柱上変圧器内の絶縁油の漏油を検出して地上への滴下を防止するものであって、前記柱上変圧器の下部に設置され、前記柱上変圧器の底部を受ける上枠と、前記上枠の下部に配置された漏油防止部材と、前記漏油防止部材の下部に配置された下枠と、から成ることを特徴とする柱上変圧器の漏油滴下防止装置。
【請求項２】
漏油防止部材は、上枠と下枠により挟持された状態で保持されている請求項１に記載の柱上変圧器の漏油滴下防止装置。
【請求項３】
漏油防止部材は、交換可能である請求項１または２に記載の柱上変圧器の漏油滴下防止装置。
【請求項４】
漏油防止部材を固定した下枠を、上枠に出し入れ自在に配置した請求項１乃至３のいずれかに記載の柱上変圧器の漏油滴下防止装置。
【請求項５】
漏油防止部材は、油吸収マットの間に着色シートが挟み込まれた多層構造に形成された請求項１乃至４のいずれかに記載の柱上変圧器の漏油滴下防止装置。
【請求項６】
油吸収マットは、油を吸収する繊維材料から形成された不織布である請求項５に記載の柱上変圧器の漏油滴下防止装置。
【請求項７】
着色シートは、油を吸収すると変色する染料をしみ込ませた繊維材料から形成された請求項５に記載の柱上変圧器の漏油滴下防止装置。
【請求項８】
漏油防止部材を、複数に分割した請求項１乃至５のいずれかに記載の柱上変圧器の漏油滴下防止装置。
【発明の詳細な説明】
【技術分野】
【０００１】
本発明は、電柱の上に設置された柱上変圧器の微少な漏油でも地上から確実に発見でき、しかも、漏油発生から地上滴下に至るまでの期間を充分に確保することにより、必要な措置を施して漏油による絶縁油の地上への滴下を確実に防止できる柱上変圧器の漏油滴下防止装置に関するものである。
【背景技術】
【０００２】
一般的に、柱上変圧器を電柱に固定する手法として、次の３種類が採用されている。
１．ハンガー型：変圧器に支持具を溶接し、バンドを介して変圧器を電柱に固定する。
２．板割型：鋼材を組んだ架台を電柱に固定し、架台上に杉板を敷設して杉板上に変圧器を固定する。
３．受台型：鋼鉄製で皿状に形成された受け台を電柱に固定し、受け台上に変圧器を固定する。
【０００３】
また、柱上変圧器は電柱の高所に設置されるていることから、その点検などを行う場合には、柱上変圧器が設置されている電柱に昇ったり、或いは、高所作業車等を準備して行う必要があり、多くの設備や手間がかかる作業であると共に、危険の伴う作業であった。
【０００４】
そこで、その危険と負担を解消するものとして、特開２００４−１７２１７４号公報に示すような柱上変圧器の絶縁診断システムなどが提案されている。
【特許文献１】特開２００４−１７２１７４号公報
【発明の開示】
【発明が解決しようとする課題】
【０００５】
しかしながら、上述した電柱への柱上変圧器の固定手法においては、変圧器内部の絶縁油が漏油した場合、絶縁油が地上に滴下して環境汚染が生じるおそれがあることから、このような絶縁油の地上への滴下は、絶対に阻止しなければならない。
【０００６】
また、変圧器のケースに錆が発生したり腐食が進行し、最終的に絶縁油が漏油する事態が発生するが、変圧器の漏油に至る迄の期間が非常に不明確であった。例えば、変圧器が設置されている環境に応じて、早いものではおよそ１０年の期間で腐食が進行し、漏油に至ってしまう変圧器も存在する。このような状況において、異なる環境に設置されている膨大な数の変圧器を一括して管理したり点検する作業が非常に面倒であり、また、困難でもあった。
【０００７】
さらに、上述した電柱への柱上変圧器の固定手法においては、漏油が多く発生する変圧器の底部が外部からは見えにくいという問題があった。特に、変圧器の下に杉板を敷設している板割型、また、皿状に形成された受け台の上に変圧器を固定する受台型においては、杉板や受け台の存在により変圧器の底部が見えないため、絶縁油が地上に滴下する前に漏油の兆候を発見することは非常に困難であった。
【０００８】
そのため、変圧器の絶縁油が漏油すると、そのまま地上に滴下してしまう可能性がある。このような事態を回避すべく、漏油発生から絶縁油が地上へ滴下するまでの時間を確保するために、変圧器に油吸着マットを巻き付ける手法も存在したが、風圧により油吸着マットが落下する危険性があった。
【０００９】
この他、漏油の検出方法として、漏油により変色するカラーチェッカー用の塗装を変圧器に塗布することも考えられたが、この手法は、漏油修理後のチェックには有効であるものの、常時塗布する場合には経年変化で塗料が変色してしまい、効果が失われてしまうという問題があった。
【００１０】
加えて、変圧器は高所に設置されていることから、いずれの方法も、変圧器の腐食の進行状況や絶縁油の初期漏油を、地上から簡単に判別することが困難であった。
【００１１】
一方、特許文献１に示す柱上変圧器の絶縁診断システムは、地上から変圧器にレーザー光を当てることで、柱上変圧器の絶縁診断を地上において行うのみで、絶縁油の漏油を防ぐものではない。
【００１２】
そのため、変圧器の絶縁油が漏油したときには、絶縁油がそのまま地上に滴下し、環境汚染が生じる危険性があった。また、柱上変圧器の絶縁診断を行うために、いちいち変圧器にレーザー光を当てるのも非常に面倒な作業であるため、数多くの変圧器に個別にレーザー光を当てて絶縁診断を行うのに多くの労力と費用が必要であった。
【００１３】
そこで、本発明は上如のような従来存した諸事情に鑑み創出されたもので、柱上変圧器において、変圧器の腐食により内部の絶縁油が漏油した場合に、地上からでも簡単に漏油を発見できると共に、漏油発生から地上滴下に至るまでの期間を充分に確保することにより、必要な措置を施して漏油による絶縁油の地上への滴下を確実に防止できる柱上変圧器の漏油滴下防止装置を提供することを目的とする。
【課題を解決するための手段】
【００１４】
本発明に係る柱上変圧器の漏油滴下防止装置は、柱上変圧器内の絶縁油の漏油を検出して地上への滴下を防止するものであって、前記柱上変圧器の下部に設置され、前記柱上変圧器の底部を受ける上枠と、前記上枠の下部に配置された漏油防止部材と、前記漏油防止部材の下部に配置された下枠と、から成ることで、上述した課題を解決した。
【００１５】
また、漏油防止部材は、上枠と下枠により挟持された状態で保持されていることで、同じく上述した課題を解決した。
【００１６】
さらに、漏油防止部材は、交換可能であることで、同じく上述した課題を解決した。
【００１７】
また、漏油防止部材を固定した下枠を、上枠に出し入れ自在に配置したことで、同じく上述した課題を解決した。
【００１８】
加えて、漏油防止部材は、油吸収マットの間に着色シートが挟み込まれた多層構造に形成されたことで、同じく上述した課題を解決した。
【００１９】
また、油吸収マットは、油を吸収する繊維材料から形成された不織布であることで、同じく上述した課題を解決した。
【００２０】
この他、着色シートは、油を吸収すると変色する染料をしみ込ませた繊維材料から形成されたことで、同じく上述した課題を解決した。
【００２１】
また、漏油防止部材を、複数に分割したことで、同じく上述した課題を解決した。
【発明の効果】
【００２２】
本発明に係る柱上変圧器の漏油滴下防止装置は、変圧器内部の絶縁油が漏油した場合、漏油防止部材が変色するので、変圧器における絶縁油の漏油を地上から簡単に確認できる。
【００２３】
その結果、絶縁油が地上に滴下する前に、変圧器を交換するなどの対策を施すことが可能となり、絶縁油が地上に滴下する事態の発生を確実に阻止できる。特に、柱上変圧器の微少な漏油でも地上から簡単に発見できるため、初期のうちに必要な対策を施すことができる。
【００２４】
また、本発明に係る柱上変圧器の漏油滴下防止装置は、漏油防止部材として油吸収マットを使用したので、絶縁油の漏油が発生しても一定量の油を油吸収マットにより吸収することができる。
【００２５】
その結果、漏油発生から地上滴下に至るまでの期間が従来より飛躍的に長くなり、地上巡視により漏油防止部材の変色を確認可能となるため、地上への滴下前に漏油を発見できる可能性が非常に高くなる。そして、漏油を発見したときには、絶縁油が地上に滴下する前に、変圧器を交換するなどの対策を施すことが可能となり、絶縁油が地上に滴下する事態の発生を確実に阻止できる。
【００２６】
さらに、漏油防止部材は、上枠と下枠により挟持された状態で保持されているので、漏油防止部材の脱落を確実に防止できる。また、漏油防止部材を固定した下枠を、上枠に出し入れ自在に配置したので、漏油防止部材の交換作業が極めて容易なものとなる。
【００２７】
この他、本発明の柱上変圧器の漏油滴下防止装置は、漏油防止部材を複数に分割したことにより、漏油防止部材の取付・交換作業も容易となる。
【発明を実施するための最良の形態】
【００２８】
以下に、本発明に係る柱上変圧器の漏油滴下防止装置を実施するための最良の形態を、図面に基づいて説明する。
【００２９】
図１は本発明に係る柱上変圧器の漏油滴下防止装置を適用した柱上変圧器の全体を示す側面図、図２は図１の柱上変圧器の漏油滴下防止装置の構造を示す分解斜視図、図３は図１の柱上変圧器の漏油滴下防止装置の漏油防止部材の構造を示す断面図、図４は図１の柱上変圧器の漏油滴下防止装置に漏油が発生した状態を説明する断面図、図５は図１の柱上変圧器の漏油滴下防止装置に漏油が発生した状態を下方より見た状態の平面図、図６は漏油防止部材を固定した下枠を上枠に挿入する状態を示す分解斜視図、図７は漏油防止部材を下枠に固定する状態を説明する分解斜視図、図８は上枠の構成を背面から見た状態の斜視図、図９は図１の柱上変圧器の漏油滴下防止装置に漏油が発生して漏油防止部材が変色している状態を下方より見た斜視図、図１０は分割した漏油防止部材を上枠に挿入する状態を説明する平面図である。
【００３０】
本発明に係る柱上変圧器の漏油滴下防止装置１０は、図１・図２に示すように、電柱１の所定の位置に固定された取付け用の架台２に載置された変圧器３の下に設置されるものである。
【００３１】
変圧器３を載置する架台２は、図２に示すように、２本の架台用アーム２ａ，２ｂがそれぞれ電柱１の所定の位置に図示しないボルトで固定され、図１に示すように、架台２の強度を保持するために、架台２の下方に補助アーム５を斜行状に配置している。変圧器３は、図１に示すように、架台２に載置され、複数の固定用バンド４を介して電柱１に固定されている。
【００３２】
漏油滴下防止装置１０は、図２に示すように、２本の架台用アーム２ａ，２ｂの上に設置されるもので、変圧器３の底部を受ける格子状の上枠１１と、前記上枠１１の下部に配置された漏油防止部材１２と、漏油防止部材１２の下部に配置されたメッシュ状の下枠１３とから構成されている。そして、図示しないボルトにより架台用アーム２ａ，２ｂに固定されている。
【００３３】
上枠１１は、鋼鉄などの金属材料から形成され６００×６００ｍｍの矩形状に形成されている。上枠１１における外枠部１１ａは、漏油防止部材１２を外側からカバーするため、漏油防止部材１２の断面寸法と同一の厚さに形成されている。上枠１１における格子部１１ｂは、漏油防止部材１２を上方から押さえると共に、変圧器３の底部を受けるものであり、変圧器３の重量に耐え得る太さに形成されている。この上枠１１は、図２に示すように、下枠１３の上に載置された漏油防止部材１２の上方に位置し、下枠１３と上枠１１により漏油防止部材１２を挟持した状態となり、漏油防止部材１２を保持している。
【００３４】
尚、上枠１１は、図１に示す形状に限定されることはなく、下枠１３と上枠１１により漏油防止部材１２を挟持した状態で保持できれば、どのような形状であっても差し支えない。
【００３５】
漏油防止部材１２は、図３に示すように、油吸収マット１２ａ，１２ｂの間に着色シート１２ｃが挟み込まれた多層構造になっており、シート状に加工されたものである。油吸収マット１２ａ，１２ｂは、ポリウレタンなどの繊維を不織布に加工したもので、厚さ４ｍｍのシートの間に着色シート１２ｃを挟み込んだもので、合計の厚さがほぼ８ｍｍであり、外形は上枠１１の寸法より若干小さく加工されている。このように加工された漏油防止部材１２は、油の吸収が良く、最大４リットル程度の油を吸収することができるので、柱上変圧器に漏油が発生したとしても、そのまま地上に滴下することがなく、漏油発生から地上滴下に至るまでの期間を長く確保することができる。尚、油吸収マット１２ａ，１２ｂの大きさや厚さ、また、上枠１１・下枠１３の形状は、吸収しようとする柱上変圧器内の絶縁油量に応じて、適宜変更可能であり、必要な構成を採用するものである。
【００３６】
また、この漏油防止部材１２に使用する着色シート１２ｃは、絶縁油が混じると変色する油溶性染料をしみ込ませた薄いシートであり、油吸収マット１２ａ，１２ｂの間に挟み込んである。
【００３７】
この着色シート１２ｃを挟み込んだ構造の漏油防止部材１２は、上方に設置された変圧器３より漏油が発生した場合は、図４に示すように、漏れた絶縁油は漏油防止部材１２の上側の油吸収マット１２ａに浸透し、着色シート１２ｃに達すると着色シート１２ｃの染料を溶解し、染料の色と混じり下側の油吸収マット１２ｂに浸透し、漏油防止部材１２の下端に達するものである。
【００３８】
すると、図５・図９に示すように、浸み出した部分Ａが、例えば、赤色になり、浸み出さない部分Ｂと異なる色になるため、絶縁油の漏油を地上から確認できるのである。
【００３９】
油溶性染料としては、例えば、低沸点溶剤に、該溶剤量に対して５〜１５重量％の白色無機微粉末を分散させると共に該粉末量に対して０．１〜１０重量％の黄色系、オレンジ色系、赤色系、紫色系又は青色系のいずれかの分散染料を溶解したものを用いる。
【００４０】
また、粒径が１０μｍ以下の油溶性染料０．１〜５重量％および白色微粉末５〜７０重量％を含有するものを用いる。さらに、粒径が１０μｍ以下の油溶性染料０．１〜５重量％、分散剤０．０５〜５重量％および白色微粉末５〜７０重量％を含有するものを用いる。また、粒径が１０μｍ以下の油溶性染料０．１〜５重量％および白色微粉末５〜５０重量％をアルコール水溶液に分散させて原液としたものを用いる。
【００４１】
尚、油溶性染料は、これらに限定されることはなく、漏れた絶縁油と混じり合って変色するものであれば、どのような染料を用いても差し支えない。
【００４２】
漏油防止部材１２の下部に配置された下枠１３は、鋼鉄などの金属材料から形成されている。下枠１３は、図２に示すように、周囲の外枠部１３ａの内側に、メッシュ部１３ｂを付設している。このメッシュ部１３ｂにより漏油防止部材１２を支持していることから、下枠１３の下側から、即ち、漏油防止部材１２が変色しているかどうかの状態を、地上から観察できるのである。
【００４３】
尚、上述した柱上変圧器の漏油滴下防止装置１０は、下枠１３と上枠１１により漏油防止部材１２を挟み込んで固定しているが、これに限定されることはなく、漏油防止部材１２を簡単に交換できるような構成にしても良い。
【００４４】
例えば、図６に示すように、漏油防止部材１２を固定した下枠１３を、上枠１１に出し入れ自在に配置しても良い。このとき、漏油防止部材１２は、図７に示すように、下枠１３に固定されている。この漏油防止部材１２が固定された下枠１３を出し入れ自在に保持する上枠１１は、図６・図８に示すように、格子部１１ｂの左右両側に外枠部１１ａを配置し、この外枠部１１ａの下端部を内側に向けて直角に折曲して支持片１１ｃを設けている。格子部１１ｂと支持片１１ｃの間は、漏油防止部材１２を固定した下枠１３を挿入できる高さを備えている。また、図６に示すように、格子部１１ｂと外枠部１１ａと支持片１１ｃにより、上枠１１に、漏油防止部材１２を固定した下枠１３を挿入するための挿入溝１１ｄが形成されている。
【００４５】
以下に、上述のように構成された漏油滴下防止装置１０を組み立てる手順を説明する。
【００４６】
まず、図７に示すように、漏油防止部材１２を下枠１３の上に乗せ、縫い付けや接着などの適切な方法で漏油防止部材１２を下枠１３に固着する。
【００４７】
次に、図６に示すように、漏油防止部材１２を固着した下枠１３を、上枠１１に形成された挿入溝１１ｄの両端に合わせて横方向よりスライドさせて挿入する。そして、図１に示すように、この上枠１１、漏油防止部材１２、下枠１３を一体化した漏油滴下防止装置１０を、変圧器３の下に設置するのである。
【００４８】
そして、図９に示すように、変圧器３より漏油が発生した場合には、漏油防止部材１２に変色して浸み出した部分Ａが生じることから、変圧器３における絶縁油の漏油を地上から簡単に確認できる。
【００４９】
その結果、絶縁油が地上に滴下する前に、変圧器３を交換するなどの対策を施すことが可能となり、絶縁油が地上に滴下する事態の発生を確実に阻止できる。
【００５０】
また、本発明に係る柱上変圧器の漏油滴下防止装置１０は、漏油防止部材１２として油吸収マット１２ａ，１２ｂを使用したので、絶縁油の漏油が発生しても一定量の油を油吸収マット１２ａ，１２ｂにより吸収することができる。
【００５１】
その結果、漏油発生から地上滴下に至るまでの期間が従来より飛躍的に長くなり、地上巡視により漏油防止部材１２の変色を確認可能となるため、地上への滴下前に漏油を発見できる可能性が非常に高くなる。そして、漏油を発見したときには、絶縁油が地上に滴下する前に、変圧器３を交換するなどの対策を施すことが可能となり、絶縁油が地上に滴下する事態の発生を確実に阻止できる。
【００５２】
この他、図１０に示された柱上変圧器の漏油滴下防止装置１０は、漏油防止部材２２を２つに分割したものである。このように漏油防止部材２２を２つに分割したものは、漏油防止部材２２を上枠１１に取り付けたり、取り外す作業がやり易くなり、作業性の向上が図れるものである。
【００５３】
上述した実施の形態においては、柱上変圧器の板割型に適用した漏油滴下防止装置１０を説明したが、本発明の柱上変圧器の漏油滴下防止装置１０は上述した板割型に限定されるものではなく、ハンガー型や受台型にも適用できることは勿論である。
【００５４】
また、本発明は上述した実施の形態に限定されるものではなく、特許請求の範囲内において様々な態様が可能なことは勿論である。例えば、油吸収マット１２ａ，１２ｂは油吸着性の材料であれば特に限定されず、また、着色シート１２ａの染料は油溶融性の材料であれば特に限定されない。さらに、漏油防止部材１２（２２）の分割も２分割に限定されず、３分割、４分割でも可能なことは勿論である。
【産業上の利用可能性】
【００５５】
本発明は、電柱１の上に設置された柱上変圧器の漏油を地上からでも発見でき、しかも、漏油発生から地上滴下に至るまでの期間を充分に確保することにより、必要な措置を施して漏油による絶縁油の地上への滴下を確実に防止できる柱上変圧器の漏油滴下防止装置１０として、多くの変圧器３に広く利用することができる。
【図面の簡単な説明】
【００５６】
【図１】本発明に係る柱上変圧器の漏油滴下防止装置を適用した柱上変圧器の全体を示す側面図である。
【図２】図１の柱上変圧器の漏油滴下防止装置の構造を示す分解斜視図である。
【図３】図１の柱上変圧器の漏油滴下防止装置の漏油防止部材の構造を示す断面図である。
【図４】図１の柱上変圧器の漏油滴下防止装置に漏油が発生した状態を説明する断面図である。
【図５】図１の柱上変圧器の漏油滴下防止装置に漏油が発生した状態を下方より見た状態の平面図である。
【図６】漏油防止部材を固定した下枠を上枠に挿入する状態を示す分解斜視図である。
【図７】漏油防止部材を下枠に固定する状態を説明する分解斜視図である。
【図８】上枠の構成を背面から見た状態の斜視図である。
【図９】図１の柱上変圧器の漏油滴下防止装置に漏油が発生して漏油防止部材が変色している状態を下方より見た斜視図である。
【図１０】分解した漏油防止部材を上枠に挿入する状態を説明する平面図である。
【符号の説明】
【００５７】
Ａ      浸み出した部分
Ｂ      浸み出さない部分
１      電柱
２      架台
２ａ    架台用アーム
２ｂ    架台用アーム
３      変圧器
４      固定用バンド
５      補助アーム
１０      漏油滴下防止装置
１１      上枠
１１ａ    外枠部
１１ｂ    格子部
１１ｃ    支持片
１１ｄ    挿入溝
１２      漏油防止部材
１２ａ    油吸収マット
１２ｂ    油吸収マット
１２ｃ    着色シート
１３      下枠
１３ａ    外枠部
１３ｂ    メッシュ部
【図１】
2006216715.tif 000003
【図２】
2006216715.tif 000004
【図３】
2006216715.tif 000005
【図４】
2006216715.tif 000006
【図５】
2006216715.tif 000007
【図６】
2006216715.tif 000008
【図７】
2006216715.tif 000009
【図８】
2006216715.tif 000010
【図９】
2006216715.tif 000011
【図１０】
2006216715.tif 000012